(57)【要約】      （修正有）【課題】回転工具の取り扱いを容易にしつつ、モータを冷却しやすくする。【解決手段】回転工具１００は、モータと、ハウジング１０１と、ハウジング１０１を吊り下げ可能な吊り部２３１、および吊り部２３１をハウジング１０１に固定する固定部材２３２を有する吊り具２３０とを備え、上記ハウジング１０１は、分割面を境に分割可能な１対の部分ハウジング１１１，１１２を有し、上記固定部材２３２は、モータの回転軸を含むとともに分割面に垂直な平面と、ハウジングの表面との交差位置である押圧位置で、部分ハウジング１１１，１１２が離間するのを阻止する方向の力を作用させる１対の押圧アーム２３２ｂ，２３２ｃと、押圧アームを連結する連結部２３２ａとを有する。【選択図】図２
2020089938.tif 000002
【特許請求の範囲】
【請求項１】
工具を回転させるモータと、
上記モータを収容するハウジングと、
上記ハウジングを吊り下げ可能な吊り部、および上記吊り部を上記ハウジングに固定する固定部材を有する吊り具と、
を備えた回転工具であって、
上記ハウジングは、上記モータの回転軸を含む平面である分割面を境に分割可能な１対の部分ハウジングが組み合わされて構成されるとともに、
上記吊り具の上記固定部材は、上記モータの回転軸を含むとともに上記分割面に垂直な平面と、上記ハウジングの表面との交差位置である押圧位置で、上記部分ハウジングが離間するのを阻止する方向の力を作用させる１対の押圧アームと、上記１対の押圧アームを連結する連結部とを有していることを特徴とする回転工具。
【請求項２】
請求項１の回転工具であって、
上記吊り具の上記固定部材における上記１対の押圧アームは、それぞれ対向する面側に上記モータの回転軸方向の凹溝を有するとともに、
上記ハウジングにおける上記押圧位置には、上記凹溝に嵌合して上記固定部材を摺動可能に案内する凸条が形成されていることを特徴とする回転工具。
【請求項３】
請求項１から請求項２のうち何れか１項の回転工具であって、
上記吊り具の上記固定部材における上記１対の押圧アームと、上記連結部とは、コの字形状に形成され、上記ハウジングに装着されたときに、上記連結部は、上記モータの回転軸の延長線上に位置する部分を有することを特徴とする回転工具。
【発明の詳細な説明】
【技術分野】
【０００１】
本発明は、工具を回転させるモータがハウジング内に収容された回転工具に関し、特に、上記回転工具を吊り下げるための吊り具を有する回転工具に関するものである。
【背景技術】
【０００２】
モータを備えたインパクトドライバ等の回転工具において、上記回転工具をカラビナ等の掛止具に引っかけて吊り下げられるようにされた回転工具が知られている。具体的には、例えば回転工具のハウジング本体部における上記モータの回転軸方向の端部に、ハウジング本体部に対して上記回転軸方向にスライド移動可能に設けられた吊り具を有する回転工具が知られている（例えば、特許文献１参照。）。
【先行技術文献】
【特許文献】
【０００３】
【特許文献１】特開２０１７−１８９８２４号公報
【発明の概要】
【発明が解決しようとする課題】
【０００４】
しかしながら、上記のように、ハウジング本体部に対して回転軸方向にスライド移動可能に吊り具が設けられる場合、上記吊り具がスライドする領域にはモータを冷却するための通気口を設けにくくなる。
【０００５】
本発明は、上記の点に鑑み、回転工具を吊り下げるための吊り具を設けて取り扱いを容易にしつつ、モータを冷却するための通気口を確保しやすくすることを目的としている。
【課題を解決するための手段】
【０００６】
上記の目的を達成するため、本発明は、
工具を回転させるモータと、
上記モータを収容するハウジングと、
上記ハウジングを吊り下げ可能な吊り部、および上記吊り部を上記ハウジングに固定する固定部材を有する吊り具と、
を備えた回転工具であって、
上記ハウジングは、上記モータの回転軸を含む平面である分割面を境に分割可能な１対の部分ハウジングが組み合わされて構成されるとともに、
上記吊り具の上記固定部材は、上記モータの回転軸を含むとともに上記分割面に垂直な平面と、上記ハウジングの表面との交差位置である押圧位置で、上記部分ハウジングが離間するのを阻止する方向の力を作用させる１対の押圧アームと、上記１対の押圧アームを連結する連結部とを有していることを特徴とする。
【０００７】
これにより、吊り具によって回転工具の取り扱いを容易にしつつ、モータを冷却するための通気口を設ける領域の自由度が高くなることなどにより、通気口を確保しやすくすることができる。
【０００８】
ここで、上記回転工具においては、
上記吊り具の上記固定部材における上記１対の押圧アームは、それぞれ対向する面側に上記モータの回転軸方向の凹溝を有するとともに、
上記ハウジングにおける上記押圧位置には、上記凹溝に嵌合して上記固定部材を摺動可能に案内する凸条が形成されていてもよい。
【０００９】
また、上記各回転工具においては、
上記吊り具の上記固定部材における上記１対の押圧アームと、上記連結部とは、コの字形状に形成され、上記ハウジングに装着されたときに、上記連結部は、上記モータの回転軸の延長線上に位置する部分を有していてもよい。
【００１０】
また、上記各回転工具においては、
上記ハウジングには、上記押圧位置を除く位置に、上記ハウジングの内外を連通させる通気口が形成されていてもよい。
【００１１】
また、上記各回転工具においては、
上記吊り具の上記吊り部は、上記固定部材に取り付けられる基部と、上記基部から延びる先端部とを有し、上記基部よりも上記先端部の方が、上記モータの回転軸またはその延長線からの距離が長く設定されていてもよい。
【００１２】
また、上記のような吊り部を有する回転工具においては、
上記吊り部の上記先端部には、部分的に上記モータの回転軸またはその延長線に近づく方向に湾曲した湾曲部が形成されていてもよい。
【００１３】
また、上記各回転工具においては、
上記吊り具は、所定の第１の姿勢と、上記第１の姿勢に対して、上記モータの回転軸回りに１８０°回転させた姿勢との双方の姿勢で上記ハウジングに固定可能に構成されていてもよい。
【発明の効果】
【００１４】
本発明によれば、回転工具を吊り下げるための吊り具を設けて取り扱いを容易にしつつ、モータを冷却するための通気口を確保しやすくすることができる。
【図面の簡単な説明】
【００１５】
【図１】インパクトドライバの概略構成を示す側面図である。
【図２】インパクトドライバの概略構成を示す背面図である。
【図３】吊り部材の構成を示す正面図である。
【図４】吊り部材の構成を示す側面図である。
【図５】吊り部材の構成を示す平面図である。
【図６】図１のVI-VI矢視断面図である。
【発明を実施するための形態】
【００１６】
以下、本発明の実施形態として、回転工具であるインパクトドライバについて、図面に基づいて詳細に説明する。
【００１７】
（インパクトドライバ１００の全体構成）
図１は、インパクトドライバ１００の概略構成を示す側面図、図２は、同、背面図である。ここで、以下の説明においては、図１における上下方向、左右方向、紙面奥方向、および紙面手前方向を、それぞれインパクトドライバ１００の上下方向、前後方向、右方向、および左方向と呼ぶ。なお、インパクトドライバ１００の駆動部分に関する詳細な説明は省略する。
【００１８】
上記インパクトドライバ１００は、ハウジング１０１内に収容された図示しないモータから得られる回転軸Ｃ回りの回転駆動力によって、アンビル２１０に取り付けられたビットなどの工具を回転させることにより、ボルトやナット等に回転打撃力を与えるようになっている。
【００１９】
上記ハウジング１０１は、モータの回転軸Ｃを含む平面である略左右方向中央付近の分割面を境に分割された部分ハウジング１１１・１１２が組み合わされて構成されている。また、ハウジング１０１は、グリップ部１０２と、電源部１０３とを有するとともに、グリップ部１０２の上部前方側にトリガースイッチ２２０が設けられている。
【００２０】
上記部分ハウジング１１１・１１２における、上記モータの回転軸Ｃを含むとともに上記分割面に垂直な平面と、上記部分ハウジング１１１・１１２の各表面との交差位置（押圧位置）には、上記回転軸Ｃの方向の凸条１２１が形成されている。上記凸条１２１には、吊り具２３０の押圧アーム２３２ｂ・２３２ｃに形成された凹溝が摺動可能に嵌合することにより、吊り具２３０をインパクトドライバ１００の後方からスライドさせて取り付けることができるようになっている。押圧アーム２３２ｂ・２３２ｃの端部付近には、ネジ孔２３２ｆが形成され、ネジ２３５が取り付けられることによって、吊り具２３０がハウジング１０１に取り付けられた状態を保ち得るようになっている。
【００２１】
上記押圧アーム２３２ｂ・２３２ｃは、連結部２３２ａによって連結され、上記部分ハウジング１１１・１１２が離間するのを阻止する方向の力が部分ハウジング１１１・１１２に作用するようになっている。
【００２２】
また、上記ハウジング１０１には、凸条１２１の上下位置、すなわち上記押圧位置を除く位置に、ハウジング１０１の内外を連通させる通気口１３１が形成されている。
【００２３】
ここで、上記のようなインパクトドライバ１００においては、ボルトやナット等の対象物に回転力を与える際には、その反力をハウジング１０１で受ける必要がある。具体的には、例えばモータの回転をプラネタリギヤにより減速してアンビル２１０を回転駆動する場合には、内歯車に嵌合するハンマーカバー２４０に伝達される回転力をハウジング１０１で受けることになる。そこで、例えば図６に示すように、ハウジング１０１に回り止めのための貫通孔１５１を形成し、これに、ハンマーカバー２４０の外周部に形成された凸部２４１を十分な深さに嵌合させ、より好ましくは貫通させることによって、ハンマーカバー２４０等に作用する回転力や反力を確実に受けられるようにすることができる。特に、上記のような貫通孔１５１を各部分ハウジング１１１・１１２に形成する場合には、各部分ハウジング１１１・１１２には、これらを分割させる方向の力が作用しないようにできるので、ハウジング１０１の耐久性を高く保つことなども容易にでき、インパクトドライバ１００の小型化も容易になる。さらに、ハウジング１０１に上記のような貫通孔１５１を形成する場合でも、これを覆うようにデザインプレート２５０等を設けることにより、デザイン性を高く保つこともできる。
【００２４】
（吊り具２３０の詳細な構成）
上記ハウジング１０１に取り付けられる吊り具２３０は、より詳しくは、図３〜図５に示すように、上記ハウジング１０１を吊り下げ可能な吊り部２３１、および上記吊り部２３１を上記ハウジング１０１に固定する固定部材２３２を有している。
【００２５】
上記吊り部２３１は、固定部材２３２に取り付けられる基部２３１ｂと、上記基部２３１ｂから延びる先端部とを有し、上記基部２３１ｂよりも上記先端部の方が、モータの回転軸Ｃまたはその延長線からの距離が長くなっている。すなわち、吊り部２３１の先端部はインパクトドライバ１００の外側に開いた形状の角度を有することにより、吊り部２３１をカラビナ等の掛止具に引っかけやすくなっている。また、上記吊り部２３１の上記先端部には、部分的に上記モータの回転軸またはその延長線に近づく方向に湾曲した湾曲部２３１ａが形成されている。これにより、例えば吊り部２３１をカラビナ等に押しつけたときにカラビナ等が逃げにくいようにして引っかけやすくなるようになっている。
【００２６】
上記固定部材２３２における押圧アーム２３２ｂ・２３２ｃと、連結部２３２ａとは、コの字形状に形成され、ハウジング１０１に装着されたときに、連結部２３２ａの一部が、モータの回転軸Ｃの後方の延長線上に位置するようになっている。なお、連結部２３２ａは、ハウジング１０１におけるモータの後方位置付近全面を覆うように配置されるなどしてもよい。上記押圧アーム２３２ｂ・２３２ｃには、互いに対向する側に折り曲げられたガイド部２３２ｄ・２３２ｅが形成され、このガイド部２３２ｄ・２３２ｅによって、上記部分ハウジング１１１・１１２の凸条１２１が嵌合する凹溝が形成されている。より詳しくは、押圧アーム２３２ｂでは、ガイド部２３２ｄの内面側が凸条１２１に嵌合し得るようになっている。一方、押圧アーム２３２ｃでは、ガイド部２３２ｅの内面側に取り付けられた吊り部２３１の基部２３１ｂの内側が、凸条１２１に嵌合し得るようになっている。
【００２７】
ここで、上記ガイド部２３２ｄの内面間の寸法と、ガイド部２３２ｅの内面側に取り付けられた吊り部２３１の基部２３１ｂの内側間の寸法とは等しく設定されている。これによって、吊り具２３０をモータの回転軸Ｃの回りに１８０°回転させた姿勢、すなわち吊り部２３１がインパクトドライバ１００の左右反対側の位置でも取り付け得るようになっている。
【００２８】
なお、上記のような吊り具は、電源部１０３における凸条１４１にも取り付けるようにしてもよい。これによって、より、作業者の好み等に応じた使い方を選択することも容易にできる。
【００２９】
上記のように、押圧アーム２３２ｂ・２３２ｃによって部分ハウジング１１１・１１２が互いに押しつけ合う方向の力を作用させ、特に、上記のようなモータ押圧位置で上記のような力を作用させることによって、実質的に、ハウジング１０１の剛性を高めるような作用効果を得ることができ、それゆえ、モータの軸ぶれを低減することが容易になる。また、部分ハウジング１１１・１１２における上記のような位置に凸条１２１が形成されることによっても、すなわち吊り具２３０が取り付けられる場合に限らず、取り付けられない場合でも、部分ハウジング１１１・１１２の剛性を高めることが容易にできるので、やはり、同様の作用効果を得ることができる。さらに、上記のようにハウジング１０１の剛性を高めることなどが容易になることから、通気口１３１の大きさや数、範囲などの設定の自由度が高くなるので、冷却性能をより向上させたり小型化を図ったりすることが容易にできる。一方、ハウジング１０１の温度が上昇して熱膨張した場合でも、部分ハウジング１１１・１１２が分解されにくいようにすることもできる。
【符号の説明】
【００３０】
１００      インパクトドライバ
１０１      ハウジング
１０２      グリップ部
１０３      電源部
１１１      部分ハウジング
１１２      部分ハウジング
１２１      凸条
１３１      通気口
１４１      凸条
１５１      貫通孔
２１０      アンビル
２２０      トリガースイッチ
２３０      吊り具
２３１      吊り部
２３１ａ    湾曲部
２３１ｂ    基部
２３２      固定部材
２３２ａ    連結部
２３２ｂ    押圧アーム
２３２ｃ    押圧アーム
２３２ｄ    ガイド部
２３２ｅ    ガイド部
２３２ｆ    ネジ孔
２３５      ネジ
２４０      ハンマーカバー
２４１      凸部
２５０      デザインプレート
【図１】
2020089938.tif 000003
【図２】
2020089938.tif 000004
【図３】
2020089938.tif 000005
【図４】
2020089938.tif 000006
【図５】
2020089938.tif 000007
【図６】
2020089938.tif 000008